(57)【要約】【課題】従来の座部の上昇と共に背凭れが伏倒し、上昇過程後半において背凭れがシャンプーボール側に移動する椅子にあっては、施術者の着座後に座部がシャンプーボールに近づきながら被施術者の座高に応じた位置で止まり洗髪状態となるため、離着席時の椅子はシャンプーボールに対して一定距離をおいて位置しなければならず、従って、専有空間の増大を招くといった問題があり、また、小柄な女性など座高の低い被施術者に合わせるには時間がかかるといった問題があった。【解決手段】シリンダ等の伏倒用駆動源９によって椅子の座部４が前方に移動しながら前方が高くなるように傾斜し、この傾斜に連動して前記座部と所定の角度で一体的に取付けられて背凭れ５が伏倒し、また、他のシリンダ等の平行移動用駆動源１１によってリンク機構を変位させて椅子全体の高を調整することにより椅子全体が前後方向に移動するようにした理美容用椅子である。【選択図】　　　　図１
2004065507.tif 000002
【特許請求の範囲】
【請求項１】
シリンダ等の伏倒用駆動源によって椅子の座部が前方に移動しながら前方が高くなるように傾斜し、この傾斜に連動して前記座部と所定の角度で一体的に取付けられて背凭れが伏倒し、また、他のシリンダ等の平行移動用駆動源によってリンク機構を変位させて椅子全体の高を調整することにより椅子全体が前後方向に移動するようにしたことを特徴とする理美容用椅子。
【請求項２】
基台１に対して一端が軸支された平行リンク２，２′と、該平行リンクの先端に軸支され平行移動する平行バー３と、該平行バーに後方が回動自在に軸支された座部４と、該座部と一体的に所定の角度後傾した状態で取付けられた背凭れ５と、前記平行バーを水平方向に移動させる油圧シリンダ等の平行移動用駆動源１１と、前記座部を前記平行バーとの軸支点を支点として後傾させる油圧シリンダ等の伏倒用駆動源９と、前記座部が後傾することにより前垂れを水平方向に変位させるリンク機構６，８とから構成したことを特徴とする理美容用椅子。
【請求項３】
シリンダ等の伏倒用駆動源によって椅子の座部が前方に移動しながら前方が高くなるように傾斜させると共に、前記駆動源の駆動によってリンク機構を介して背凭れを前記座部とのなす角度が初期の角度と略一致するように伏倒させ、かつ、他のシリンダ等の平行移動用駆動源によってリンク機構を変位させて椅子全体の高さを調整することにより椅子全体が前後方向に移動するようにしたことを特徴とする理美容用椅子。
【発明の詳細な説明】
【０００１】
【発明の属する技術分野】
本発明は理美容用椅子、特に、理美容院において施術者が洗髪サービスを行う際に、被施術者を着座させた後にバックシャンプーの姿勢を取らせる洗髪用椅子として好適な理美容用椅子に関する。
【０００２】
【従来の技術】
バックシャンプー用の洗髪椅子とは、背凭れを伏倒し、被施術者の首の背面側をシャンプーボールの凹部に載せた状態で洗髪作業を行うのに適した構造のものであるが、被施術者には身長差があるために、前記した被施術者の首の背面側をシャンプーボールの凹部に合わせるために種々の構造のものが開発されている。
【０００３】
以下、従来のバックシャンプーが行えるような構造の椅子について説明する。
（１）座部の上昇と共に背凭れが伏倒する椅子。
（２）座部が上下動し、任意の高さで背凭れを伏倒させる椅子。
（３）座部の上昇と共に背凭れが伏倒し、上昇過程後半において背凭れがシャンプーボール側に移動する椅子。
等がある。
【０００４】
【発明が解決しようとする課題】
ところて、前記した（１）の椅子にあっては、被施術者の座高が多様であるにもかかわらず、洗髪時のシャンプーボールと洗髪用椅子との位置関係が一定であるため、多様な被施術者の体格に対応できないので、被施術者は首部が所定の位置になるように着座位置から前後方向に体を移動させなければならず、従って、面倒な動作が発生するため、女性の場合には着衣が乱れて心理的な負担を与えるといった問題があり、また、離着席時において座りやすいよう座部が略水平であるために、座部が上昇した洗髪状態において被施術者に不自然で不安定な仰臥姿勢を強いるといった問題もあった。
【０００５】
前記した（２）の椅子にあっては、座部の高さと背凭れ角の調節によって被施術者の座高との適合を図るため、調節要素が多く手間がかかり面倒であるといった問題があり、また、座高の高い人と低い人では、洗髪時のシャンプーボールの凹部に向かう首の角度が異なるため、一定の首の角度を想定した首周りの形状・起伏に対して適合製の高い凹部形状のシャンプーボールを製作することが困難であり、被施術者の首に無理な圧迫を加えてしまうといった問題もあり、さらに、前記（１）と同様に座部が水平状態から座部が上昇した洗髪状態において被施術者に不自然で不安定な仰臥姿勢を強いるといった問題もあった。
【０００６】
前記した（３）の椅子にあっては、施術者の着座後に座部がシャンプーボールに近づきながら被施術者の座高に応じた位置で止まり洗髪状態となるため、離着席時の椅子はシャンプーボールに対して一定距離をおいて位置しなければならず、従って、専有空間の増大を招くといった問題があり、また、小柄な女性など座高の低い被施術者に合わせるには時間がかかるといった問題もあった。
【０００７】
本発明は前記した問題点を解決せんとするもので、その目的とするところは、被施術者の座高によず着座位置から移動することなく着座から洗髪姿勢へ頭部の変位を抑えながら移行させ、一定の安楽で安定した姿勢で施術を受けることができると共に、被施術者の姿勢を一定に保てることで施術者にとって洗髪作業が行い易く、また、設置の占有空間を小さくできる理美容用椅子を提供せんとするにある。
【０００８】
【課題を解決するための手段】
本発明の理美容用椅子は前記した目的を達成せんとするもので、請求項１の手段は、シリンダ等の伏倒用駆動源によって椅子の座部が前方に移動しながら前方が高くなるように傾斜し、この傾斜に連動して前記座部と所定の角度で一体的に取付けられて背凭れが伏倒し、また、他のシリンダ等の平行移動用駆動源によってリンク機構を変位させて椅子全体の高を調整することにより椅子全体が前後方向に移動するようにしたものである。
【０００９】
請求項２の手段は、基台に対して一端が軸支された平行リンクと、該平行リンクの先端に軸支され平行移動する平行バーと、該平行バーに後方が回動自在に軸支された座部と、該座部と一体的に所定の角度後傾した状態で取付けられた背凭れと、前記平行バーを水平方向に移動させる油圧シリンダ等の平行移動用駆動源と、前記座部を前記平行バーとの軸支点を支点として後傾させる油圧シリンダ等の伏倒用駆動源と、前記座部が後傾することにより前垂れを水平方向に変位させるリンク機構とから構成したものである。
【００１０】
請求項３の手段は、シリンダ等の伏倒用駆動源によって椅子の座部が前方に移動しながら前方が高くなるように傾斜させると共に、前記駆動源の駆動によってリンク機構を介して背凭れを前記座部とのなす角度が初期の角度と略一致するように伏倒させ、かつ、他のシリンダ等の平行移動用駆動源によってリンク機構を変位させて椅子全体の高さを調整することにより椅子全体が前後方向に移動するようにしたものである。
【００１１】
以下、本発明に係る理美容用椅子の第１の実施の形態を図１〜図４と共に説明する。
Ａは本発明に係る理美容椅子、Ｂは被施術者の首後ろ部分を受ける凹部Ｂ１　が形成されたシャンプーボールである。１は床面に下端が固定された梯子状に形成された基台にして、基台１の上端には平行リンク２，２′が回動自在に軸支されている。また、平行リンク２，２′の下端には平行バー３が軸支され、該平行バー３の略中央から起立されている取付板３ａには座部４における座部基板４ａの後部が回動自在に軸支（軸支点ａ）されている。
【００１２】
前記座部基板４ａは所望の角度を以て延長バー４ｂとなっており、この延長バー４ｂに背凭れ５が取付けられている。前記角度は被施術者が着座した状態および洗髪状態において被施術者が最もリラックス感が得られる角度に形成されている。
【００１３】
前記平行バー３の前方に起立された起立板３ｂには「く」の字状に折曲された座部リンク６の一端が軸支（軸支点ｂ）され、該座部リンク６の屈曲部は前記座部基板４ａから垂下された垂下板４ｃに軸支されている。７は前記座部基板４ａの先端に前垂れ基板７ａの一端が軸支された前垂れにして、該前垂れ基板７ａに一端が軸支された前垂れリンク８の他端が前記座部リンク６の他端と軸支されている。
【００１４】
９は一端が前記垂下板４ｃの下端にピストンの先端が軸支された油圧シリンダ等の座部の先端側を押し上げる起伏用駆動源にして、シリンダの先端は一端が前記平行リンク２′と平行バー３との軸支点に軸支された背凭れリンク１０の他端に軸支（軸支点ｃ）されている。１１は前記基台１の横バー１ａにピストンの先端が軸支された油圧シリンダ等の椅子全体を水平方向に移動させる平行移動用駆動源にして、シリンダの先端は前記背凭れリンク１０に形成された孔１０ａに軸支されている。
【００１５】
次に、前記した構成に基づいて動作を説明する。
先ず、図１は低身長者の洗髪を行う場合を示しているが、該低身長者が座部４に着座する時点においては平行移動用駆動源１１の油を抜いて平行リンク２，２′を垂直方向に変位させて座部４の高さを低い位置にセットする。そして、着座が終了した時点で図１の状態、すなわち、平行移動用駆動源１１に油圧を供給することにより、背凭れリンク１０を介して平行リンク２，２′が垂直側から水平方向に変位しているので、図２の高身長者が離着席する場合と比較すると座部の高さは高い位置にある。
【００１６】
また、起伏用駆動源９のピストンは収縮している状態であることから、座背４は水平状態となっており、これにより、背凭れ５は起立状態となっている。さらに、前垂れ７は座部リンク６が右方向に引かれているので、垂直と略近い状態となっている。
【００１７】
図２は高身長者の洗髪を行う場合を示しているが、図１と異なる点は平行移動用駆動源１１のピストンが収縮されていることである。この状態にあっては、平行リンク２，２′は前記図１の場合より垂直側に変位しているので、座部の高さは低い位置にある。また、起伏用駆動源９のピストンは前記図１と同様に収縮しているので、座部４が水平で背凭れ５と前垂れ７は垂直と略近い状態となっている。
【００１８】
なお、高身長者が着座する状態においては、平行移動用駆動源１１に油圧を供給して座部４の高さを高くして高身長者でも着座し易いようにする。また図示していないが、標準的な身長者の場合には、前記低身長者と高身長者の中間の位置に座部の高さをセットして着座させ、洗髪を行う場合には、その高さ位置で伏倒用駆動源９を駆動して洗髪状態とする。以下、全て着座から洗髪状態への移行は同じである。
【００１９】
次に、前記した図１および図２の被施術者が着座して洗髪作業を行う場合について説明する。
前記図１および図２の何れにおいても、伏倒用駆動源９に油圧を供給すると、該伏倒用駆動源９は軸支点ｃを不動点としてピストンが突出されるので、垂下板４ｃを左方向に移動させる力が作用する。しかし、この力は座部基板４ａが軸支点ａで平行バー３で軸支されているので、座部基板４ａの前方が軸支点ａを支点として時計方向に回動される。
【００２０】
そして、座部基板４ａの前方が高くなるように傾斜させると、該座部基板４ａと一体化されている背凭れ５も後傾され、また、座部リンク６の一端が平行バー３の軸支点ｂに軸支されているので時計方向に回動され、該座部リンク６の先端に軸支されている前垂れリンク８が移動して前垂れ７を水平方向に座部基板との軸支点を支点として変位し、従って、着座している被施術者は仰臥状態となるものである。
【００２１】
ここで、低身長者の場合には、座部４の位置が高身長者の座部４の位置より高い位置にあることから、起伏用駆動源９を駆動させて仰臥状態とした場合、背凭れ５の上端はシャンプーボールＢの凹部Ｂ１　に対して接近、かつ、高い位置となり低身長者の洗髪が行えるようになる。
【００２２】
また、高身長者の場合には、図４に示す如く、背凭れ５の上端はシャンプーボールＢの凹部Ｂ１　に対して離れ、かつ、低い位置となる。従って、低身長者であっても、高身長者であっても、着座位置における座部４の高さを調整しておくことにより、被施術者の首後ろ部が凹部Ｂ１　に一致するようになり、高身長者の洗髪が行えるようになるものである。
【００２３】
次に、第２の実施の形態を図５〜図７と共に説明する。なお、第１の実施の形態と同じ作用を行う部材には同一符号を示し説明は省略する。
この実施の形態においては、平行リンク２，２′の一端を床面Ｃに敷設された取付基板１２に軸支され、他端は平行バー３に軸支されている。また、平行移動用駆動源１１はシリンダ側が前記取付基板１２に軸支され、ピストン側が平行リンク２′に軸支されている。従って、平行移動用駆動源１１に油圧を供給すると平行リンク２，２′が変位して平行バー３が平行移動して高さ位置が変化するものである。
【００２４】
前記平行バー３の後端側には一端が座部基板４ａに軸支された背凭れリンク１０の他端が軸支され、また、平行バー３の先端側にはＬ状に折曲された折曲部が座部基板４ａに軸支された座部リンク６の他端が平行バー３が軸支されている。そして、起伏用駆動源９のピストン側が座部リンク６の長手片の中間部に軸支され、シリンダ側が前記平行バー３の略中間部に軸支されている。また、前記座部リンク６の短手片の先端は一端が前垂れ基板７ａに軸支された前垂れリンク８の先端に軸支されている。
【００２５】
次に、前記した構成に基づいて動作を説明するに、前記した第１の実施の形態と同様に、被施術者が低身長者の洗髪を行う場合には、平行移動用駆動源１１に油圧を供給して平行リンク２，２′を斜め上方に変位させて平行バー３を介して座部４を高い位置に移動させる。
【００２６】
この状態において、起伏用駆動源９に油圧を供給すると、図６に示すように座部リンク６が平行バー３との軸支点を支点として時計方向に回動されるので、該座部リンク６の回動に伴って前垂れリンク８が前垂れ７を伏倒方向に変位させる。
【００２７】
これと同時に、座部リンク６が時計方向に回動されることにより、該座部リンク６は座部基板４ａに軸支されていることから、座部４は前方が押し上げられ、かつ、座部基板４ａの後方は背凭れリンク１０と連結されているので、座部４および背凭れ５は後傾状態となって、背凭れ５の上端はシャンプーボールＢの凹部Ｂ１　に非常に近接し、従って、低身長者の首の後ろ側が前記凹部Ｂ１　に一致した状態となり、洗髪が行えるものである。
【００２８】
また、被施術者が高身長者の場合には、平行移動用駆動源１１の油を抜いて平行リンク２，２′を傾斜方向に変位させて平行バー３を低い位置に移動させる。そして、起伏用駆動源９に油圧を供給することにより、図７に示す如く、背凭れ５の上端はシャンプーボールＢの凹部Ｂ１　に対して離れ、かつ、低い位置となる。従って、高身長者であっても首の後ろ部が前記凹部Ｂ１　に一致するようになり、高身長者の洗髪が行えるようになるものである。
【００２９】
次に、第３の実施の形態を図８〜図１０と共に説明する。なお、第２の実施の形態と同じ作用を行う部材には同一符号を示し説明は省略する。
この実施の形態においては、平行リンク２，２′の下端側は前記取付基板１２から立設された三角形状の台部１２ａの傾斜辺に軸支され、上端側はＬ字状の平行バー３の水平部に軸支されている。この水平バー１３の両端にはコロ１３ａが取付けられ、該コロ１３ａは座部基板４ａと背凭れ基板５ａに形成されたガイドレールにガイドされている。
【００３０】
また、平行移動用駆動源１１のシリンダ側は取付基板に軸支され、ピストン側は平行リンク２′に軸支されている。一方、起伏用駆動源９のシリンダ側は前記水平バー１３の起立部に軸支され、ピストン側は座部基板４ａの後端に軸支されている。従って、平行移動用駆動源１１に油圧を供給すると平行リンク２，２′が変位して平行バー３が平行移動して高さ位置が変化するものである。
【００３１】
背凭れ５の背面には背凭れリンク１０が取付けられ、該背凭れリンク１０の先端には一端が前垂れ７の前垂れ基板７ａに一端が軸支されたＬ字状の前垂れリンク８の他端が軸支されている。この前垂れリンク８には長孔８ａが形成されており、この長孔８ａに前記平行バー３の折曲部から突出されたピン３ｂが挿入されている。
【００３２】
次に、前記した構成に基づいて動作を説明するに、前記した第２の実施の形態と同様に、被施術者が低身長者の洗髪を行う場合には、平行移動用駆動源１１に油圧を供給して平行リンク２，２′を斜め上方に変位させて平行バー３を介して座部４を高い位置に移動させる。
【００３３】
この状態において、起伏用駆動源９の油を抜くと、図９に示すように座部基板４ａが前方向に引かれるので、コロ３ａにガイドされている座部基板４ａと背凭れ基板５ａに形成されたガイドレールが移動して座部４および背凭れ５が後傾状態となり、背凭れ５の上端はシャンプーボールＢの凹部Ｂ１　に非常に近接し、従って、低身長者の首の後ろ側が前記凹部Ｂ１　に一致した状態となり、洗髪が行えるものである。
【００３４】
また、前記座部４および背凭れ５の後傾に伴って、背凭れリンク１０が変位するので、前垂れリンク８はピン３ｂにガイドされている長孔８ａによって前方に移動して前垂れを伏倒方向に変位させるので、被施術者は安楽な状態での洗髪作業を受けることができる。
【００３５】
また、被施術者が高身長者の場合には、平行移動用駆動源１１の油を抜いて平行リンク２，２′を傾斜方向に変位させて平行バー３を低い位置に移動させる。そして、起伏用駆動源９に油圧を抜くことにより、図１０に示す如く、背凭れ５の上端はシャンプーボールＢの凹部Ｂ１　に対して離れ、かつ、低い位置となる。従って、高身長者であっても首の後ろ部が前記凹部Ｂ１　に一致するようになり、高身長者の洗髪が行えるようになるものである。
【００３６】
次に、第４の実施の形態を図１１〜図１３と共に説明する。なお、第３の実施の形態と同じ作用を行う部材には同一符号を示し説明は省略する。
この実施の形態における平行リンク２，２′、平行移動用駆動源１１および平行バー３の構成は前記した第３の実施の形態と同様に、平行リンク２，２′の下端側は台部１２ａに軸支され、また、平行移動用駆動源１１は台部１２ａと平行リンク２′との間に取付けられ、かつ、平行バー３は平行リンク２，２′の上端側に軸支されている。従って、平行移動用駆動源１１に油圧を供給すると平行リンク２，２′が変位して平行バー３が平行移動して高さ位置が変化するものである。
【００３７】
そして、平行バー３は逆への字状に折曲されており、座部基板４ａから垂下された垂下片４ｃのコロ４ｄが平行バー３の状面に沿って移動可能に形成されている。また、起伏用駆動源９のピストン側は平行バー３の後端側に軸支され、シリンダ側は座部基板４の前方側に軸支されている。
【００３８】
座部４および背凭れ５を連結する延長バー４ｂの折曲部には連結リンク１０が固定されており、該連結リンク１０の先端は一端が平行バー３の後端に一端が軸支されたＬ状の座部リンク６の折曲部に軸支されている。そして、座部リンク６の先端は一端が前垂れ基板７ａに軸支された前垂れリンク８の他端が軸支されている。
【００３９】
次に、前記した構成に基づいて動作を説明するに、前記した第３の実施の形態と同様に、被施術者が低身長者の洗髪を行う場合には、平行移動用駆動源１１に油圧を供給して平行リンク２，２′を斜め上方に変位させて平行バー３を介して座部を高い位置に移動させる。
【００４０】
この状態において、起伏用駆動源９に油圧を供給すると、図１１に示すように座部基板４ａが前方に押し出される。この時、座部基板４ａには垂直片４ｃのコロ４ｄが逆への字状に形成された平行バー３の上を移動するので、座部基板４ａは前方に移動しながら後傾状態になると共に座部４と一体的に形成さている背凭れ５が後傾する。
【００４１】
前記背凭れ５が後傾すると、前記延長バー４ｂに垂下固定されている連結リンク１０が時計方向に回動されるので、座部リンク６が平行バー３との軸支点を支点として反時計方向に回動され、該座部リンク６の先端に軸支されている前垂れリンク８が前方に向かって変位し、従って、前垂れ７は伏倒方向に変位され洗髪状態となる。そして、この状態において、座部４が高い位置にあることから背凭れ５の上端はシャンプーボールＢの凹部Ｂ１　に非常に近接し、従って、低身長者の首の後ろ側が前記凹部Ｂ１　に一致した状態となり、洗髪が行えるものである（図１２参照）。
【００４２】
また、被施術者が高身長者の場合には、平行移動用駆動源１１の油を抜いて平行リンク２，２′を傾斜方向に変位させて平行バー３を低い位置に移動させる。そして、起伏用駆動源９に油圧を供給することにより、図１３に示す如く、背凭れ５の上端はシャンプーボールＢの凹部Ｂ１　に対して離れ、かつ、低い位置となる。従って、高身長者であっても首の後ろ部が前記凹部Ｂ１　に一致するようになり、高身長者の洗髪が行えるようになるものである。
【００４３】
次に、第５の実施の形態を図１４〜図１６と共に説明する。なお、前記した実施の形態と同じ作用を行う部材には同一符号を示し説明は省略する。
この実施の形態にあっては、基台１の前後に斜め方向に傾いた一対の平行ガイドバー１３，１４を取付け、この平行ガイドバー１３，１４に平行バー３の前後に取付けられたコロ３ａをそれぞれ移動自在にガイドさせている。また、平行移動用駆動源１１のシリンダ側は前記基台１の前方に形成された支持片１ｂに軸支され、ピストン側は前記平行バー３の後端側に軸支されている。従って、平行移動用駆動源１１に油圧を供給すると平行バー３はコロ３ａがガイドバー１３，１４にガイドされて移動することにより、高さ位置が変化するものである。
【００４４】
起伏用駆動源９のシリンダ側は基台１の後方側に軸支され、ピストン側は後述する垂下片４ｃの下端に軸支されている。従って、伏倒用駆動源９と前記平行移動用駆動源１１とは交差するようになる。座部基板４ａの後端側は平行バー３の略中間部に軸支され、また、座部基板４ａの前方側には垂下片４ｃが垂下されている。
【００４５】
この垂下片４ｃの下端にはへの字状に形成された座部リンク６の折曲部が軸支され、該座部リンク６の基端は平行バー３の先端に軸支されている。また、前記座部リンク６の他端は一端が前垂れ基板７ａに軸支された前垂れリンク８の他端が軸支されている。
【００４６】
次に、前記した構成に基づいて動作を説明するに、前記した前記した実施の形態と同様に、被施術者が低身長者の洗髪を行う場合には、平行移動用駆動源１１に油圧を供給して平行バー３を斜め上方に変位させて座部４を高い位置に移動させる。
【００４７】
この状態において、起伏用駆動源９に油圧を供給すると、図１５に示すように座部基板４ａから垂下されている垂下片４ｃを押し上げるので、座部基板４ａは平行バー３に軸支された後方を支点として座部４の前方が押し上げられ後傾状態となる。この時、背凭れ５も座部４に一体的に取付けられているので後傾状態となる。
【００４８】
前記垂下片４ｃが押し上げられると、該垂下片４ｃに軸支されている座部リンク６が基端側が平行バー３に軸支されているので、時計方向に回動されて前垂れリンク８を介して前垂れ７を伏倒方向に変位させ洗髪状態となる。そして、この状態において、座部４が高い位置にあることから背凭れ５の上端はシャンプーボールＢの凹部Ｂ１　に非常に近接し、従って、低身長者の首の後ろ側が前記凹部Ｂ１　に一致した状態となり、洗髪が行えるものである。
【００４９】
また、被施術者が高身長者の場合には、平行移動用駆動源１１の油を抜いて平行バー３を低い位置に移動させる。そして、起伏用駆動源９に油圧を供給することにより、図１６に示す如く、背凭れ５の上端はシャンプーボールＢの凹部Ｂ１　に対して離れ、かつ、低い位置となる。従って、高身長者であっても首の後ろ部が前記凹部Ｂ１　に一致するようになり、高身長者の洗髪が行えるようになるものである。
【００５０】
次に、第６の実施の形態を図１７〜図１９と共に説明する。なお、前記した実施の形態と同じ作用を行う部材には同一符号を示し説明は省略する。
この実施の形態にあっては、基台１は上面が前方が低くなる傾斜面に形成され、該傾斜面にガイドレール１５が形成されている。そして、このガイドレール１５には一端が背凭れ５の上方に取付けられた略Ｌ字状の移動部材１６の水平部側がコロ１６ａを介して移動自在に取付けられている。水平移動用駆動源１１のシリンダ側は基台１に軸支され、シリンダ側が前記移動部材１６の水平部側に軸支されている。従って、水平駆動用駆動源１１に油圧を供給すると移動部材１６はコロ３ａがガイドレール１５にガイドされて移動することにより、高さ位置が変化するものである。
【００５１】
伏倒用駆動源９のシリンダ側は前記ガイドレール１５の中間部分の側面に軸支され、ピストン側は座部基板４ａの前方側に軸支されている。また、ガイドレール１５の前方には座部リンク６の下端が軸支され、該座部リンク６の上端には長孔６ａが形成され、この長孔６ａに座部基板４ａより突出されたピン４ｇが臨んでいる。
【００５２】
さらに、前記座部基板４ａに形成された垂下片４ｃにへの字状に形成されたサブ座部リンク６′の折曲部が軸支され、該サブ座部リンク６′の一端は前記座部リンク６の上方に一端が軸支された連結リンク１０の他端が軸支されている。また、前記サブ座部リンク６′の他端には一端が前垂れ基板７ａに一端が軸支された前垂れリンク８の他端が軸支されている。
【００５３】
次に、前記した構成に基づいて動作を説明するに、前記した前記した実施の形態と同様に、被施術者が低身長者の洗髪を行う場合には、平行移動用駆動源１１に油圧を供給して移動部材１６のコロ１６ａによってガイドレール１５上を斜め上方に変位させて座部４を高い位置に移動させる。
【００５４】
この状態において、起伏用駆動源９に油圧を供給すると、図１８に示すように座部基板４ａが前方に押し出されるので、移動部材１６と背凭れ５との軸支点を支点として座部４が斜め上方に押し上げられる。この時、座部リンク６は反時計方向に回動されるが、該座部リンク６の長孔６ａ内を座部基板４ａのピン４ｇが移動するので、座部４の変位の妨げとはならず後傾状態となる。この時、背凭れ５も座部４に一体的に取付けられているので後傾状態となる。
【００５５】
また、座部リンク６が反時計方向に回動されることから、連結リンク１０を介してサブ座部リンク６は垂下片４ｃとの軸支点を支点として時計方向に回動されるので、前垂れリンク８が前方に押し出されてるので、前垂れ７も伏倒方向に変位され洗髪状態となる。そして、この状態において、座部４が高い位置にあることから背凭れ５の上端はシャンプーボールＢの凹部Ｂ１　に非常に近接し、従って、低身長者の首の後ろ側が前記凹部Ｂ１　に一致した状態となり、洗髪が行えるものである。
【００５６】
また、被施術者が高身長者の場合には、平行移動用駆動源１１の油を抜いて移動部材１６を低い位置に移動させる。そして、起伏用駆動源９に油圧を供給することにより、図１９に示す如く、背凭れ５の上端はシャンプーボールＢの凹部Ｂ１　に対して離れ、かつ、低い位置となる。従って、高身長者であっても首の後ろ部が前記凹部Ｂ１　に一致するようになり、高身長者の洗髪が行えるようになるものである。
【００５７】
次に、第７の実施の形態を図２０〜図２２と共に説明する。なお、前記した実施の形態と同じ作用を行う部材には同一符号を示し説明は省略する。
この実施の形態にあっては、前記した第６の実施の形態と同様に基台１にガイドレール１５が傾斜状態で取付けられている。そして、このガイドレールにＴ字状の移動リンク１７におけるコロ１７ａ，１７ｂがガイドされている。また、移動リンク１７の前記コロ１７ｂが取付けられている先端には、シリンダ側が基台１に軸支された平行移動用駆動源１１のピストン側が軸支されている。
【００５８】
前記移動リンク１７の残りの先端にはコロ１７ｃが取付けられ、該コロ１７ｃが座部基板４ａの下面に固定されたガイドバー４ｄにガイドされている。また、移動リンク１７の前記コロ１７ｂ側に近い部分には、一端が座部基板４ａの後端に軸支された座部リンク６の他端に近い部分が軸支されている。従って、平行移動用駆動源１１に油圧を供給すると移動リンク１７のコロ１７ａ，１７ｂがガイドレール１５によってガイドされて移動することにより、高さ位置が変化するものである。
【００５９】
また、前記移動リンク１７のコロ１７ａに近い部分には、伏倒用駆動源９のシリンダ側が軸支され、該伏倒用駆動源９のピストン側は前記座部リンク６の中間部に軸支されている。さらに、前記座部リンク６の前記座部基板４ａより突出している上端には一端が前垂れ基板７ａに軸支された前垂れリンク８の他端が軸支されている。
【００６０】
次に、前記した構成に基づいて動作を説明するに、前記した実施の形態と同様に、被施術者が低身長者の洗髪を行う場合には、平行移動用駆動源１１に油圧を供給して移動リンク１７をを斜め上方に移動させて座部４を高い位置に移動させる。
【００６１】
この状態において、起伏用駆動源９の油を抜くと、図２１に示すように座部リンク６を移動リンク１７との軸支点を支点として反時計方向に変位させるので、座部基板４ａはコロ１７ｃとガイドバー４ｄとの滑りによって座部４の前方が押し上げられ後傾状態となる。この時、背凭れ５も座部４に一体的に取付けられているので後傾状態となる。
【００６２】
また、座部リンク６が変位することにより、該座部リンク６の上端に一端が軸支されている前垂れリンク８が押し出されて前垂れ７を伏倒方向に変位させ洗髪状態となる。そして、この状態において、座部４が高い位置にあることから背凭れ５の上端はシャンプーボールＢの凹部Ｂ１　に非常に近接し、従って、低身長者の首の後ろ側が前記凹部Ｂ１　に一致した状態となり、洗髪が行えるものである。
【００６３】
また、被施術者が高身長者の場合には、平行移動用駆動源１１の油を抜いて移動リンク１７を低い位置に移動させる。そして、起伏用駆動源９に油を抜くことにより、図２２に示す如く、背凭れ５の上端はシャンプーボールＢの凹部Ｂ１　に対して離れ、かつ、低い位置となる。従って、高身長者であっても首の後ろ部が前記凹部Ｂ１　に一致するようになり、高身長者の洗髪が行えるようになるものである。
【００６４】
次に、第８の実施の形態を図２３〜図２５と共に説明する。なお、前記した第１の実施の形態と同じ作用を行う部材には同一符号を示し説明は省略する。
この実施の形態にあっては、前記した何れの実施の形態においても座部４と背凭れ５とが一体化されたものであったが、この実施の形態にあっては、座部４と背凭れ５とは分離されており、後述する機構によって独立して変位するものである。すなわち、座部基板４ａの後端にはガイド管４ｅが取付けられており、このガイド管４ａに背凭れ５から下方に延長された部分５ａが挿通され、この延長部分５ａを下方に引くことで背凭れ５は伏倒方向に変位する構造である。
【００６５】
一方、第１の実施の形態と同様に、平行バー３は平行移動用駆動源１１の伸縮によっに平行リンク２，２′が平行移動し、高さが変位するようになっている。次に、座部４および背凭れ５を後傾させ、かつ、前垂れ７を伏倒方向に変位させる機構について説明する。
【００６６】
先ず、平行バー３の略中央にはコロ３ａが取付けられており、該コロ３ａは座部基板４ａの裏面を転がるように構成されている。そして、座部基板４ａから垂下されている垂下片４ｃには二股状に分離された座部リンク６の分離部が軸支され、分離された一方の先端には前記した背凭れの延長部分５ａに軸支された背凭れリンク１０の他端が軸支されている。
【００６７】
また、座部リンク６の他の分離部先端は平行バー３の先端に軸支され、さらに座部リンク６の分離されていない先端には前垂れ７の前垂れ基板７ａに一端が軸支された前垂れリンク８の他端が軸支されている。さらに、伏倒用駆動源９のピストン側は平行バー３の後端側に軸支され、シリンダ側は前記垂下片４ｃに軸支されている。
【００６８】
次に、前記した構成に基づいて動作を説明するに、前記した第１の実施の形態と同様に、被施術者が低身長者の洗髪を行う場合には、平行移動用駆動源１１に油圧を供給して平行リンク２，２′を介して平行バー３を斜め上方に移動させて座部４を高い位置に移動させる。
【００６９】
この状態において、起伏用駆動源９の油圧を供給すると、図２４に示すように垂下片４ａを前方に向かって移動させる力が作用するので、座部基板４ａが水平バー３に取付けられているコロ３ａによって前方に移動する。この時、座部リンク６の二股部の一方が水平バー３に軸支されているので、該座部リンク６は時計方向に回動され座部４の前方が斜め上方に押し上げ後傾状態となる。
【００７０】
また、座部リンク６が時計方向に回動することにより、該座部リンク６の二股部分の他方に軸支されている背凭れリンク１０が前方に引かれるので、背凭れ５の延長部分５ａを介して背凭れ５は伏倒方向に変位されて洗髪状態となる。従って、低身長者の首の後ろ側が前記凹部Ｂ１　に一致した状態となり、洗髪が行えるものである。
【００７１】
また、被施術者が高身長者の場合には、平行移動用駆動源１１の油を抜いて平行リンク２，２′を介して平行バー３を低い位置に移動させる。そして、起伏用駆動源９に油圧を供給するとにより、図２５に示す如く、背凭れ５の上端はシャンプーボールＢの凹部Ｂ１　に対して離れ、かつ、低い位置となる。従って、高身長者であっても首の後ろ部が前記凹部Ｂ１　に一致するようになり、高身長者の洗髪が行えるようになるものである。
【００７２】
次に、第９の実施の形態を図２６〜図２８と共に説明する。なお、前記した第６の実施の形態と同じ作用を行う部材には同一符号を示し説明は省略する。また、この実施の形態は前記した第８の実施の形態と同様に背凭れ５は座部４とは分離され一体化されてものではない。そして、この実施の形態にあっては、第６の実施の形態と同じく基台１の傾斜面に対してガイドレール１５が形成ている。そして、このガイドレール１５には五角形状の平行移動板１８の下辺の二隅に取付けられたコロ１８ａがガイドされている。
【００７３】
前記平行移動板１８の後端から垂下された突起１８ｂにはシリンダ側が基台１に軸支された平行移動用駆動源１１のピストン側が軸支されている。また、平行移動板１８の頂角には三角形状の連結板１９の一角が軸支され、さらに、平行移動板１８の前記連結板１９が軸支された隣接する角部には座部リンク６の一端が軸支されている。
【００７４】
前記座部４の座部基板４ａの下面には四角形状の座部台板４ｆが取付けられ、この座部台板４ｆの一方の下部には前記連結板１９の頂角部が軸支され、また、他方の下部には前記座部リンク６の下端側が軸支されている。そして、伏倒用駆動源９のシリンダ側が前記平行移動板１８の残りの角部に軸支され、ピストン側は前記座部リンク６の中間部に軸支されている。
【００７５】
また、背凭れ５の下部から突出した取付片５ｂには背凭れリンク１０の一端が軸支されており、該背凭れリンク１０の他端は前記座部リンク６の下端から延長された部分に軸支されている。さらに、前記連結板１９の残りの角部には一端が前垂れ基板７ａに軸支された前垂れリンク８の他端が軸支されている。
【００７６】
次に、前記した構成に基づいて動作を説明するに、前記した第６の実施の形態と同様に、被施術者が低身長者の洗髪を行う場合には、平行移動用駆動源１１に油圧を供給して平行移動板１８を押し上げると、該平行移動板１８のコロ１８ａがガイドレール１５にガイドされて斜め上方に移動するので、座部４は高い位置に移動する。
【００７７】
この状態において、起伏用駆動源９の油を抜くと、図２７に示すように座部リンク６を平行移動板１８との軸支点を支点として時計方向に回動させるので、座部基板４ａの下面に取付けられている座部台板４ｆが平行移動板１８との軸支点を支点として時計方向に回動される。従って、座部４は前方が押し上げられた後傾状態となる。
【００７８】
また、前記座部リンク６が時計方向に回動されると、該座部リンク６に軸支されている背凭れリンク１０が引かれるので、背凭れ５が伏倒されシャンプーボールＢ側に接近し、さらに、前記伏倒用駆動源９のシリンダ側が軸支されている連結板１９が同じく時計方向に回動されることにより、前垂れリンク８を介して前垂れ７が伏倒方向に変位する。従って、低身長者の首の後ろ側が前記凹部Ｂ１　に一致した状態となり、洗髪が行えるものである。
【００７９】
また、被施術者が高身長者の場合には、平行移動用駆動源１１の油を抜いて平行移動板１８を低い位置に移動させて座部４を低い位置に設定する。そして、起伏用駆動源９に油を抜くことにより、図２８に示す如く、背凭れ５の上端はシャンプーボールＢの凹部Ｂ１　に対して離れ、かつ、低い位置となる。従って、高身長者であっても首の後ろ部が前記凹部Ｂ１　に一致するようになり、高身長者の洗髪が行えるようになるものである。
【００８０】
なお、前記した実施の形態にあっては、座部の高さ位置と、洗髪時の着座位置から座部４を後傾させると共に背凭れ５および前垂れ７の伏倒を行うのに、各駆動源９，１１を個別に制御して行う場合について説明したが、例えば、低身長者、照準的な身長者および高身長者等の３分類して、ワンタッチによってそれぞれの身長者に合わせた着座位置に座部４をセットし、着座した後に洗髪状態への位置に移行するようにしてもよい。
【００８１】
また、前記した実施の形態は洗髪用としての理美容用椅子として説明したが、リラクゼーション用椅子としても応用できる。この場合には、背凭れ５の上端に枕を取付ける必要がある。さらに、エステ用の椅子としても応用することは可能である。
【００８２】
【発明の効果】
本発明は前記したように、シリンダ等の駆動源によって椅子の座部が前方に移動しながら前方が高くなるように傾斜させると共に、前記座部の変位と連動して背凭れが伏倒させ、かつ、他のシリンダ等の駆動源によってリンク機構を変位させて椅子全体の高を調整することにより椅子全体が前後方向に移動するようにしたので、被施術者の離着席時は洗髪時と比較して座部および背凭れ部分がシャンプーボール側に近接しているので、椅子の占有面積が小さくてすみ、また、椅子全体の高さを自由にできるため、被施術者の離着席が容易に行える。
【００８３】
また、着座状態から洗髪の状態への移行時に、被施術者にとって平行感覚を司る三半規管の有る頭部の変位が少ないため、椅子の着座状態から洗髪状態への移行およびその逆の動作に伴う不快感を与えることがなく、また、被施術者の身長によらず座部上での移動も行う必要もなく、さらに、座部と背凭れの角度が常に一定か殆ど変わることがないので、背ズレが生じることもなく施術者にとっても最低限の操作で簡単、かつ、短時間でシャンプーボールの凹部に被施術者の首の後ろを適合させることができる。
【００８４】
さらに、洗髪時には被施術者の身長に係わらず背凭れ角が被施術者のフェイスラインを水平にできる一定角度に寝るために、施術者にとって洗髪が行いやすいと同時に、被施術者にとっても首を無理に屈曲させなくても首付近に水が侵入するのを防止でき、また、座部が後傾姿勢であるため、安定した安楽な姿勢で洗髪を受けることができる、さらに、被施術者の体格によらずシャンプーボールへの進入角が一定であることから、被施術者の首周りの形状・起伏に対して適合性の高い凹部形状に形成することができ、従って、圧迫感の軽減を図ることができる等の効果を有するものである。
【図面の簡単な説明】
【図１】本発明に係る理美容用椅子の第１の実施の形態における低身長者の離着席時の側面図である。
【図２】同上の高身長者の離着席時の側面図である。
【図３】低身長者の洗髪時の側面図である。
【図４】高身長者の洗髪時の側面図である。
【図５】第２の実施の形態における低身長者の離着席時の側面図である。
【図６】低身長者の洗髪時の側面図である。
【図７】高身長者の洗髪時の側面図である。
【図８】第３の実施の形態における低身長者の離着席時の側面図である。
【図９】低身長者の洗髪時の側面図である。
【図１０】高身長者の洗髪時の側面図である。
【図１１】第４の実施の形態における低身長者の離着席時の側面図である。
【図１２】低身長者の洗髪時の側面図である。
【図１３】高身長者の洗髪時の側面図である。
【図１４】第５の実施の形態における低身長者の離着席時の側面図である。
【図１５】低身長者の洗髪時の側面図である。
【図１６】高身長者の洗髪時の側面図である。
【図１７】第６の実施の形態における低身長者の離着席時の側面図である。
【図１８】低身長者の洗髪時の側面図である。
【図１９】高身長者の洗髪時の側面図である。
【図２０】第７の実施の形態における低身長者の離着席時の側面図である。
【図２１】低身長者の洗髪時の側面図である。
【図２２】高身長者の洗髪時の側面図である。
【図２３】第８の実施の形態における低身長者の離着席時の側面図である。
【図２４】低身長者の洗髪時の側面図である。
【図２５】高身長者の洗髪時の側面図である。
【図２６】第９の実施の形態における低身長者の離着席時の側面図である。
【図２７】低身長者の洗髪時の側面図である。
【図２８】高身長者の洗髪時の側面図である。
【符号の説明】
１　　　　　基台
２，２′　　平行リンク
３　　　　　平行バー
４　　　　　座部
５　　　　　背凭れ
６　　　　　座部リンク
７　　　　　前垂れ
８　　　　　前垂れリンク
９　　　　　起伏用駆動源（油圧シリンダ）
１０　　　　連結リンク
１１　　　　平行移動用駆動源（油圧シリンダ）
【図１】
2004065507.tif 000003
【図２】
2004065507.tif 000004
【図３】
2004065507.tif 000005
【図４】
2004065507.tif 000006
【図５】
2004065507.tif 000007
【図６】
2004065507.tif 000008
【図７】
2004065507.tif 000009
【図８】
2004065507.tif 000010
【図９】
2004065507.tif 000011
【図１０】
2004065507.tif 000012
【図１１】
2004065507.tif 000013
【図１２】
2004065507.tif 000014
【図１３】
2004065507.tif 000015
【図１４】
2004065507.tif 000016
【図１５】
2004065507.tif 000017
【図１６】
2004065507.tif 000018
【図１７】
2004065507.tif 000019
【図１８】
2004065507.tif 000020
【図１９】
2004065507.tif 000021
【図２０】
2004065507.tif 000022
【図２１】
2004065507.tif 000023
【図２２】
2004065507.tif 000024
【図２３】
2004065507.tif 000025
【図２４】
2004065507.tif 000026
【図２５】
2004065507.tif 000027
【図２６】
2004065507.tif 000028
【図２７】
2004065507.tif 000029
【図２８】
2004065507.tif 000030